(57)【特許請求の範囲】
【請求項１】
目覚まし時計本体と、
前記目覚まし時計本体に係止させられる停止ユニットと、
前記停止ユニットに係止のため固定ピン嵌合部を有するとともに前記目覚まし時計本体に係止のための固定ピンを移動させる駆動源および停止ユニットの下部形状に相補的な凹部の停止ユニット嵌合部を有し、目覚まし時計本体への停止ユニットの係止は、該停止ユニットの下部を前記停止ユニット嵌合部に嵌合して前記固定ピン嵌合部に前記固定ピンを嵌合させることにより行い、アラームタイマ設定の時刻になったとき前記駆動源の駆動により前記固定ピンを前記固定ピン嵌合部から外し、前記停止ユニットを浮上させる着脱装置手段と、
前記停止ユニットに取り付けられ、前記目覚まし時計本体への停止ユニットの係止が解除されたとき浮上し、バルーン内の気体の浮遊力により空気中に浮かぶバルーンと、
を備え、
前記目覚まし時計本体は、
無線受信装置と、
アラームタイマ設定手段と、
前記アラームタイマ設定手段で設定された時刻になったとき、アラームを発生させる手段および前記停止ユニットの係止を解除する前記着脱装置手段の係止機構部とを有し、
前記停止ユニットは、
無線送信装置と、
ユーザが操作することにより前記アラーム発生を停止させる信号を出力する停止スイッチ手段と、
ユーザの前記停止スイッチ手段の停止操作により前記目覚まし時計本体に通知する通知手段とを有し、
アラーム発生前、前記目覚まし時計本体に前記停止ユニットを係止させておき、アラームタイマ設定の時刻になった場合、前記停止ユニットの係止を解除して前記バルーンによって前記停止ユニットを浮上させ、
ユーザが前記停止スイッチ手段を操作した場合、前記無線送信装置から前記無線受信装置にアラームの停止信号が送信されることにより、前記停止スイッチ手段の操作が通知され前記アラームを停止させるとともに前記着脱装置手段を元の状態に復帰させ、ユーザが前記停止ユニットを前記目覚まし時計本体の装着位置に載置したとき、前記係止機構部によって前記停止ユニットを前記目覚まし時計本体に係止することを特徴とする浮上式目覚まし時計装置。
【請求項２】
前記着脱装置手段は、
停止ユニットの側面に凹形の前記固定ピン嵌合部を有し、軸で回動可能なクランクの一端に前記固定ピンを備え、前記クランクの他端に前記固定ピンを前記固定ピン嵌合部に挿着する方向に付勢するスプリングを係止するとともにソレノイドの駆動片を取り付け、
前記ソレノイドを起動していないときは、前記停止ユニット嵌合部に嵌合されている停止ユニットの側面の前記固定ピン嵌合部に前記スプリングの付勢力により前記固定ピンを挿着しておき、
前記ソレノイドを起動したとき、前記付勢力に逆らって前記固定ピンを移動させ前記固定ピン嵌合部から外すことを特徴とする請求項１記載の浮上式目覚まし時計装置。
【請求項３】
目覚まし時計本体と、
前記目覚まし時計本体に係止させられる停止ユニットと、
前記停止ユニットまたは前記目覚まし時計本体のいずれかに固定する第１永久磁石を有するとともに他方の停止ユニットまたは目覚まし時計本体にＳＮ極位置を移動可能な第２永久磁石を有し、目覚まし時計本体への停止ユニットの係止は、前記第１永久磁石の極性と反対の極性になるように前記第２永久磁石を対面させて吸着することにより行い、アラームタイマ設定の時刻になったとき前記第２永久磁石を移動させることにより前記第１永久磁石と第２永久磁石の吸着を解除し前記停止ユニットを浮上させる着脱装置手段と、
前記停止ユニットに取り付けられ、前記目覚まし時計本体への停止ユニットの係止が解除されたとき浮上し、バルーン内の気体の浮遊力により空気中に浮かぶバルーンと、
を備え、
前記目覚まし時計本体は、
無線受信装置と、
アラームタイマ設定手段と、
前記アラームタイマ設定手段で設定された時刻になったとき、アラームを発生させる手段および前記停止ユニットの係止を解除する前記着脱装置手段の係止機構部とを有し、
前記停止ユニットは、
無線送信装置と、
ユーザが操作することにより前記アラーム発生を停止させる信号を出力する停止スイッチ手段と、
ユーザの前記停止スイッチ手段の停止操作により前記目覚まし時計本体に通知する通知手段とを有し、
アラーム発生前、前記目覚まし時計本体に前記停止ユニットを係止させておき、アラームタイマ設定の時刻になった場合、前記停止ユニットの係止を解除して前記バルーンによって前記停止ユニットを浮上させ、
ユーザが前記停止スイッチ手段を操作した場合、前記無線送信装置から前記無線受信装置にアラームの停止信号が送信されることにより、前記停止スイッチ手段の操作が通知され前記アラームを停止させるとともに前記着脱装置手段を元の状態に復帰させ、ユーザが前記停止ユニットを前記目覚まし時計本体の装着位置に載置したとき、前記係止機構部によって前記停止ユニットを前記目覚まし時計本体に係止することを特徴とする浮上式目覚まし時計装置。
【請求項４】
前記着脱装置手段は、
前記停止ユニットの下部に前記第１永久磁石を固定し、前記目覚まし時計本体の上部に中心部で回動可能な前記第２永久磁石を備え、
軸で回動可能なクランクの一端を前記第２の永久磁石の一方の極に結合し、前記クランクの他端にスプリングを係止するとともにソレノイドの駆動片を取り付け、
前記ソレノイドを起動していないときは、前記スプリングの付勢力により前記第２永久磁石の一方の極を前記第１永久磁石に対面する位置に保持し、前記停止ユニットを吸着しておき、
前記ソレノイドを起動したとき、前記付勢力に逆らって前記第２永久磁石の一方の極を引き寄せ、前記停止ユニットを解放することを特徴とする請求項３記載の浮上式目覚まし時計装置。
【請求項５】
前記目覚まし時計本体はモード切替スイッチを備え、該モード切替スイッチにより浮上禁止モードにするか否かを選択可能にし、該浮上禁止モードを選択した場合、アラームを起動しても停止ユニットを浮上させることなくアラーム音を発生させ、
前記目覚まし時計本体は、アラームが起動した場合、アラーム音を発生させるほか、制御内容にしたがって音楽を出力することを特徴とする請求項１，２，３または４記載の浮上式目覚まし時計装置。
【発明の詳細な説明】
【技術分野】
【０００１】
本発明は、アラームを停止させる部分を空中に浮遊させアラーム停止を困難にすることによって睡眠者を確実に目覚めさせることができる浮上式目覚まし時計装置に関する。
【背景技術】
【０００２】
一般的な電子式の目覚まし時計では、鳴り出したアラーム音を一度止めても一定時間後に再度鳴り始めるスヌーズ機能や、アラームを止めるためにはパズルを解かなければならないなど、起きることが困難な人のために敢えてアラーム停止を困難にする機能を持たせることが一般的である。
特許文献１はアラーム停止を困難にする機能を有する提案である。予め設定した時刻になると、ロボットがベースステーションから羽ばたいて浮上移動し、睡眠者の身長以上の高さに定位し、睡眠者が起立してロボットの近辺まで移動し、ロボットに備えられたセンサで睡眠者が起立状態であることを認識すると、待機状態を解放しベースステーションに帰還するものである。ベースステーションがロボットの帰還を検出すると、アラームを停止させる。
【０００３】
この提案は空中浮遊のため羽ばたいて所定の高さに上昇し、起立した睡眠者を認識した後、みずからベースステーションまで飛んでいき元の位置に復帰する構成を採用しているため、ロボットの羽ばたく機構が複雑で、高度な制御をしなければならず、確実にベースステーションまで戻るための構成が複雑であると考えられる。
【特許文献１】特許第３８６００７７号公報
【発明の開示】
【発明が解決しようとする課題】
【０００４】
本件発明者は、上記背景なども考慮し空中に浮遊させる機構を比較的簡易な構成で行ってアラーム動作を確実に行え、アラームの停止操作が困難になるシステムを構成できないかの観点から本発明を行ったものである。
【０００５】
本発明の目的は、目覚まし時計においてアラームの停止ユニット例えばヘリウムガスを注入した風船状のものを取り付け、アラーム開始と同時に本体より停止ユニットを分離し空中に浮遊させることによって、アラーム音を止めることを困難にすると共に楽しさを演出することを可能とする浮上式目覚まし時計装置を提供することにある。
【課題を解決するための手段】
【０００６】
前記目的を達成するために本発明の請求項１は、目覚まし時計本体と、前記目覚まし時計本体に係止させられる停止ユニットと、前記停止ユニットに係止のため固定ピン嵌合部を有するとともに前記目覚まし時計本体に係止のための固定ピンを移動させる駆動源および停止ユニットの下部形状に相補的な凹部の停止ユニット嵌合部を有し、目覚まし時計本体への停止ユニットの係止は、該停止ユニットの下部を前記停止ユニット嵌合部に嵌合して前記固定ピン嵌合部に前記固定ピンを嵌合させることにより行い、アラームタイマ設定の時刻になったとき前記駆動源の駆動により前記固定ピンを前記固定ピン嵌合部から外し、前記停止ユニットを浮上させる着脱装置手段と、前記停止ユニットに取り付けられ、前記目覚まし時計本体への停止ユニットの係止が解除されたとき浮上し、バルーン内の気体の浮遊力により空気中に浮かぶバルーンとを備え、前記目覚まし時計本体は、無線受信装置と、アラームタイマ設定手段と、前記アラームタイマ設定手段で設定された時刻になったとき、アラームを発生させる手段および前記停止ユニットの係止を解除する前記着脱装置手段の係止機構部とを有し、前記停止ユニットは、無線送信装置と、ユーザが操作することにより前記アラーム発生を停止させる信号を出力する停止スイッチ手段と、ユーザの前記停止スイッチ手段の停止操作により前記目覚まし時計本体に通知する通知手段とを有し、アラーム発生前、前記目覚まし時計本体に前記停止ユニットを係止させておき、アラームタイマ設定の時刻になった場合、前記停止ユニットの係止を解除して前記バルーンによって前記停止ユニットを浮上させ、ユーザが前記停止スイッチ手段を操作した場合、前記無線送信装置から前記無線受信装置にアラームの停止信号が送信されることにより、前記停止スイッチ手段の操作が通知され前記アラームを停止させるとともに前記着脱装置手段を元の状態に復帰させ、ユーザが前記停止ユニットを前記目覚まし時計本体の装着位置に載置したとき、前記係止機構部によって前記停止ユニットを前記目覚まし時計本体に係止することを特徴とする。
本発明の請求項２は、請求項１記載の発明において前記着脱装置手段は、停止ユニットの側面に凹形の前記固定ピン嵌合部を有し、軸で回動可能なクランクの一端に前記固定ピンを備え、前記クランクの他端に前記固定ピンを前記固定ピン嵌合部に挿着する方向に付勢するスプリングを係止するとともにソレノイドの駆動片を取り付け、前記ソレノイドを起動していないときは、前記停止ユニット嵌合部に嵌合されている停止ユニットの側面の前記固定ピン嵌合部に前記スプリングの付勢力により前記固定ピンを挿着しておき、前記ソレノイドを起動したとき、前記付勢力に逆らって前記固定ピンを移動させ前記固定ピン嵌合部から外すことを特徴とする。
本発明の請求項３は、目覚まし時計本体と、前記目覚まし時計本体に係止させられる停止ユニットと、前記停止ユニットまたは前記目覚まし時計本体のいずれかに固定する第１永久磁石を有するとともに他方の停止ユニットまたは目覚まし時計本体にＳＮ極位置を移動可能な第２永久磁石を有し、目覚まし時計本体への停止ユニットの係止は、前記第１永久磁石の極性と反対の極性になるように前記第２永久磁石を対面させて吸着することにより行い、アラームタイマ設定の時刻になったとき前記第２永久磁石を移動させることにより前記第１永久磁石と第２永久磁石の吸着を解除し前記停止ユニットを浮上させる着脱装置手段と、前記停止ユニットに取り付けられ、前記目覚まし時計本体への停止ユニットの係止が解除されたとき浮上し、バルーン内の気体の浮遊力により空気中に浮かぶバルーンとを備え、前記目覚まし時計本体は、無線受信装置と、アラームタイマ設定手段と、前記アラームタイマ設定手段で設定された時刻になったとき、アラームを発生させる手段および前記停止ユニットの係止を解除する前記着脱装置手段の係止機構部とを有し、前記停止ユニットは、無線送信装置と、ユーザが操作することにより前記アラーム発生を停止させる信号を出力する停止スイッチ手段と、ユーザの前記停止スイッチ手段の停止操作により前記目覚まし時計本体に通知する通知手段とを有し、アラーム発生前、前記目覚まし時計本体に前記停止ユニットを係止させておき、アラームタイマ設定の時刻になった場合、前記停止ユニットの係止を解除して前記バルーンによって前記停止ユニットを浮上させ、ユーザが前記停止スイッチ手段を操作した場合、前記無線送信装置から前記無線受信装置にアラームの停止信号が送信されることにより、前記停止スイッチ手段の操作が通知され前記アラームを停止させるとともに前記着脱装置手段を元の状態に復帰させ、ユーザが前記停止ユニットを前記目覚まし時計本体の装着位置に載置したとき、前記係止機構部によって前記停止ユニットを前記目覚まし時計本体に係止することを特徴とする。
本発明の請求項４は、請求項３記載の発明において前記着脱装置手段は、前記停止ユニットの下部に前記第１永久磁石を固定し、前記目覚まし時計本体の上部に中心部で回動可能な前記第２永久磁石を備え、軸で回動可能なクランクの一端を前記第２の永久磁石の一方の極に結合し、前記クランクの他端にスプリングを係止するとともにソレノイドの駆動片を取り付け、前記ソレノイドを起動していないときは、前記スプリングの付勢力により前記第２永久磁石の一方の極を前記第１永久磁石に対面する位置に保持し、前記停止ユニットを吸着しておき、前記ソレノイドを起動したとき、前記付勢力に逆らって前記第２永久磁石の一方の極を引き寄せ、前記停止ユニットを解放することを特徴とする。
本発明の請求項５は、請求項１，２，３または４記載の発明において前記目覚まし時計本体はモード切替スイッチを備え、該モード切替スイッチにより浮上禁止モードにするか否かを選択可能にし、該浮上禁止モードを選択した場合、アラームを起動しても停止ユニットを浮上させることなくアラーム音を発生させ、前記目覚まし時計本体は、アラームが起動した場合、アラーム音を発生させるほか、制御内容にしたがって音楽を出力することを特徴とする。
【発明の効果】
【０００７】
上記構成によれば、アラーム停止を困難にする機能として例えば停止ボタンが設置された停止ユニットが本体より分離し、また本体からの分離は電子的に制御される。また停止ユニットには停止ユニットを１気圧で浮上させるに十分な浮力を持つバルーンを接続しアラーム音の開始と同時に停止ユニットと本体との接続を分離することにより停止ボタンを空中に浮遊させ、アラーム音の停止を困難にすることができる。さらに、このような空中浮遊という動作をさせることによって使用者に対し楽しさを提供することができる。
【発明を実施するための最良の形態】
【０００８】
以下、図面を参照して本発明の実施の形態を詳しく説明する。
図１は、本発明による浮上式目覚まし時計装置の外観を示す概略図である。
浮上式目覚まし時計装置は床１２に置かれた状態が示されており、目覚まし時計本体１，停止ユニット３およびバルーン結合部１３によって停止ユニット３に取り付けられたバルーン２から構成されている。バルーン結合部１３およびバルーン２で構成される部分がバルーンユニットである。
バルーン２に空気より軽い気体、例えばヘリウムガスが充填されており、停止ユニット３を浮遊させることができる容積を有する球径を持っている。
【０００９】
停止ユニット３の正面にアラームを停止するための停止スイッチ４が設置されている。停止ユニット３はアラーム発生前（通常モード時）、着脱装置手段によって目覚まし時計本体１の上面に係止（接続）されている。
目覚まし時計本体１の前面に、時間表示部５と分表示部６が設けられている。右側上部にモード切替スイッチ９，時送りスイッチ１０および分送りスイッチ１１が配置されている。さらに左側下部にアラームタイマ開始スイッチ７が配置されている。
【００１０】
モード切替スイッチ９は通常モード，アラーム設定モード，時刻設定モードおよび浮上禁止モードを切り替え設定するためのものである。
通常モードはいずれの操作もしない場合のモードである。アラーム設定モードはアラーム起動時間を時送りスイッチ１０，分送りスイッチ１１を用いて行うものである。
時刻設定モードは時計の現在時刻設定を時送りスイッチ１０，分送りスイッチ１１を用いて行うものである。浮上禁止モードはアラームが起動しても停止ユニット３を浮上させないモードである。
【００１１】
図２は、本発明による浮上式目覚まし時計装置の本体の回路のブロック図である。
目覚まし時計本体１は、制御装置２０，上記時間表示部５および分表示部６よりなる液晶表示部２１，スピーカ２４，バッテリー２６，係止機構部（着脱装置手段の本体側の機構）２５を備えている。また、停止ユニット３から送られる停止信号をアンテナ２２で受信するための無線受信装置２３を備えている。
制御装置２０は制御部２０ａ，時計回路２０ｂ，バッファ記憶部２０ｃ，タイマ監視回路２０ｄ，係止機構部駆動回路２０ｅの各機能を有しており、モード切替スイッチ９，時送りスイッチ１０，分送りスイッチ１１，アラームタイマ開始スイッチ７からの信号を受信し、上述の各モードの設定やモードによる制御を行う。スピーカ２４からはアラーム音が出力される他、制御内容に従って音楽などを出力する。
【００１２】
図３は、停止ユニットの回路の実施の形態を示すブロック図である。
停止ユニット３は制御装置３０，バッテリー３４，無線送信装置３３，アンテナ３２，本体接続用の永久磁石３１を備えている。
着脱装置手段は永久磁石３１と係止機構部２５によって構成される。停止スイッチ４が押されると、その信号は制御装置３０に送られる。制御装置３０は無線送信装置３３に対し停止信号を送るための指令を送出する。無線送信装置３３は指令に従って搬送波を変調しアンテナ３２より電波を発射する。
バルーンユニット３５は上述したようにバルーン結合部１３およびバルーン２により形成されるものである。
【００１３】
図４は、停止ユニットと本体の係止（結合）構造の各実施の形態を説明するための図である。
（ａ）は機械的に係止・解除する例を示したものである。
目覚まし時計上面４９に停止ユニット下部４０を嵌合するための停止ユニット嵌合部４８が形成されている。停止ユニット下部４０の側面に固定ピン４２に嵌合するための固定ピン嵌合部４１が設けられている。目覚まし時計筐体枠４７にソレノイド４５が配置され、ソレノイド４５の駆動片４５ａは回転軸４４で回転可能なクランク４３の一端に接続されている。クランク４３の他端は固定ピン４２の他端に枢着されている。クランク４３の一端に他端が目覚まし時計筐体枠４７の突起４７ａに係止されたスプリング４６の一端が接続されている。
【００１４】
スプリング４６によってクランク４３の一端は常時右方向に付勢されているため、固定ピン４２の先端は固定ピン嵌合部４１に嵌合状態となっている。
制御装置２０（図２参照）がアラーム発生で係止機構部２５に解除（駆動）信号を送出すると、係止機構部２５を構成するソレノイド４５は駆動させられ、駆動片４５ａを引き込む。このため、クランク４３は時計方向に回転し固定ピン４２が固定ピン嵌合部４１から外れ、停止ユニットはバルーン２の浮力により浮遊可能となる。
【００１５】
（ｂ）は停止ユニットおよび本体に永久磁石を設けて係止・解除する例である。
停止ユニット下部５０内に永久磁石５１が設けられている。
一方、目覚まし時計筐体枠５７にソレノイド５９が配置され、ソレノイド５９の駆動片５９ａは回転軸５５で回転可能なクランク５４の一端に接続されている。クランク５４の他端は連結ワイヤ（剛体）５３に接続されている。連結ワイヤ５３は、回転軸５２ａで回転可能な永久磁石５２のＮ極側に接続されている。クランク５４の一端に他端が目覚まし時計筐体枠５７の突起５８ａに係止されたスプリング５６の一端が接続されている。
【００１６】
スプリング５６によってクランク５４の一端は常時右方向に付勢されているため、連結ワイヤ５３は永久磁石５２のＮ極側を押している状態となり、永久磁石５２は図４（ｂ）に示すように上側がＮ極位置になるように垂直状態に起立している。停止ユニット下部５０に設けられている永久磁石５１の下部がＳ極であるため吸引し、停止ユニットは目覚まし時計本体に結合した状態となる。
制御装置２０（図２参照）がアラーム発生で係止機構部２５に駆動信号を送出すると、係止機構部２５を構成するソレノイド５９は駆動させられ、ソレノイド先端部を引き込む。このため、クランク５４は時計方向に回転し連結ワイヤ５３によって永久磁石５２のＮ極が引っ張られるため永久磁石間の吸引力は解消し、停止ユニットはバルーン２の浮力により浮遊可能となる。
【００１７】
（ｃ）は停止ユニットに永久磁石を、本体に電磁石を設けて係止・解除する例である。  この例は目覚まし時計上面６３の下部に電磁石６２を配置し、停止ユニット下部６０に設けられている永久磁石６１と結合する構造にしてある。
アラーム発生により電磁石６２の電流は切断され、電磁石６２と永久磁石６１との吸引力は解消され、停止ユニットはバルーン２の浮力により浮遊可能となる。
【００１８】
図５は本発明による浮上式目覚まし時計装置のアラームタイマ設定，アラーム発生の流れを示すフローチャートである。
ユーザはモード切替スイッチ９で時刻設定モードにし、時送りスイッチ１０，分送りスイッチ１１を操作して現在の時刻を設定する。これにより正確な時刻の時計機能が作動する（ステップ（以下「Ｓ」という）１０１）。制御部２０ａは時送りスイッチ１０，分送りスイッチ１１から時刻操作信号，分操作信号の入力があると、時計回路２０ｂを時刻操作信号，分操作信号に従った時刻に設定し、液晶表示部２１に表示する。
ついで、モード切替スイッチ９をアラーム設定モードに切り替え、希望するアラーム起動時間を時送りスイッチ１０，分送りスイッチ１１により設定する（Ｓ１０２）。
制御部２０ａは入力されたアラーム起動時間をバッファ記憶部２０ｃに記憶する。
【００１９】
設定したアラームを作動させるためにユーザがアラームタイマ開始スイッチ７を押す（Ｓ１０３）と、制御部２０ａはタイマ監視回路２０ｄを起動してアラーム起動時間になったか否かを監視する（Ｓ１０４）。アラーム起動時間になると、制御部２０ａはスピーカ２４よりアラーム音を出力させる。ついで浮上禁止モードに設定されているか否かを判断する（Ｓ１０６）。浮上禁止モードでなければ、係止機構部駆動回路２０ｅを制御し、係止機構部２５に対し駆動信号（解除信号）を送出する（Ｓ１０７）。駆動信号により停止ユニットと係止機構部との係止は解除され（Ｓ１０８）、停止ユニットは接続されているバルーンユニットの浮力により空中へ浮上する（Ｓ２０１）。
【００２０】
アラーム音によりユーザが目覚めれば、立ち上がって空中浮上したバルーンユニットの捕獲に向かうこととなる。ユーザが停止ユニットを捕獲して停止スイッチ４を押したか否かを停止ユニット３の制御装置３０が監視している（Ｓ２０２）。制御装置３０は停止スイッチ４からアラーム音の停止信号が入力されると、無線送信装置３３に対し指令を出し、アラーム音停止の電波（停止信号で変調された電波）をアンテナ３２より発射させる（Ｓ２０３）。
一方、目覚まし時計本体１では制御部２０ａは無線受信装置２３が停止信号（停止ユニットからの電波）を受信したか否かを監視している（Ｓ１０９）。
【００２１】
制御部２０ａは停止信号を受信したと判断すると、スピーカ２４より出力しているアラーム音を停止させる（Ｓ１１０）とともに係止機構部駆動回路２０ｅを制御し、係止機構部２５の駆動を停止させる。例えば、図４（ｂ）に示す実施形態の係止機構部であれば、ソレノイド５９の駆動を停止し、元の吸着可能な位置になるように永久磁石５２の回転を復帰させる。
ユーザがバルーンユニットを捕獲して停止スイッチ４を押した後は、停止ユニットを目覚まし時計本体１の係止位置に載置することとなる。既に係止機構部は復帰状態になっているため、例えば、吸着力が復帰し、停止ユニットは目覚まし時計本体１に接続される（Ｓ１１１）。
【００２２】
つぎに図６，図７により本発明による浮上式目覚まし時計装置の使用例を説明する。
図６はベッド７２の端部付近に設置した載置台７１の上に停止ユニット３を接続した目覚まし時計本体１が置かれている図である。ユーザ７０は枕７３の上に頭に載せてベッド７２で睡眠中である。
この状態でアラーム起動時間になると、アラーム音が鳴動するとともにバルーン２と停止ユニット３のバルーンユニットは点線７４に示すように移動して天井付近まで浮遊する。ユーザがアラーム音によって目覚め起立し、停止ユニットを捕獲した状態が図７である。この後、停止スイッチを押して、バルーンユニットを目覚まし時計本体１の上に戻すこととなる。
【００２３】
以上の実施の形態は、図４に示すように機械的に係止する方法，磁石を用いて吸着力により係止する方法の係止機構部の実施の形態を示したが、この方法に限らず、他の方法による係止機構部を構成することもできる。例えば、図４（ｂ）はソレノイドを駆動源としているがサーボモータ等を用いてもよい。
また、本発明の実施の形態は目覚まし時計本体と停止ユニットを分離する例であるが、目覚まし時計本体と停止ユニットを分離させる機構ではなく一体型で、浮力調節を行うことにより目覚まし時計本体ごと浮上させる機構にしても本発明の目的を達成することができる。
また浮上する方法として、ヘリウムガスのバルーンではなくヘリコプタの回転翼など浮上動力を有したり、空気を暖めることで熱気球のような浮力を得ることを可能とする浮上方法を用いても良い。
【産業上の利用可能性】
【００２４】
アラームを停止させるユニットを空中に浮遊させる浮上式目覚まし時計装置である。
【図面の簡単な説明】
【００２５】
【図１】本発明による浮上式目覚まし時計装置の外観を示す概略図である。
【図２】本発明による浮上式目覚まし時計装置の本体の回路のブロック図である。
【図３】停止ユニットの回路の実施の形態を示すブロック図である。
【図４】停止ユニットと本体との結合構造の実施の形態を説明するための図である。
【図５】本発明による浮上式目覚まし時計装置のアラームタイマ設定，アラーム発生の流れを示すフローチャートである。
【図６】本発明による浮上式目覚まし時計装置をユーザが使用している例を示す図である。
【図７】本発明による浮上式目覚まし時計装置がアラーム発生したときの停止方法を説明するための図である。
【符号の説明】
【００２６】
１  目覚まし時計本体
２  バルーン
３  停止ユニット
４  停止スイッチ
５  時間表示部
６  分表示部
７  アラームタイマ開始スイッチ
９  モード切替スイッチ
１０  時送りスイッチ
１１  分送りスイッチ
１３  バルーン結合部
２０，３０  制御装置
２１  液晶表示部
２２  アンテナ
２３  無線受信装置
２４  スピーカ
２５  係止機構部
２６，３４  バッテリー
３１  本体接続用永久磁石
３２  アンテナ
３３  無線送信装置
３５  バルーンユニット
４０，５０，６０  停止ユニット下部
４１  嵌合部
４２  固定ピン
４３，５４  クランク
４４，５５  回転軸
４５，５９  ソレノイド
４６，５６  スプリング
４７，５７  目覚まし時計筐体枠
４９，６３  目覚まし時計上面
５１，５２，６１  永久磁石
５３  連結ワイヤ
６２  電磁石
７０  ユーザ
７１  載置台
７２  ベッド
【図１】
0005164651.tif 000002
【図２】
0005164651.tif 000003
【図３】
0005164651.tif 000004
【図４】
0005164651.tif 000005
【図５】
0005164651.tif 000006
【図６】
0005164651.tif 000007
【図７】
0005164651.tif 000008